(57)【要約】【課題】傷発生を防止するのみならず、使用時には外れにくく、交換時には容易に交換して着せ替えができる、見映えがよく、商品性の高い折畳み式携帯電子機器を提供する。【解決手段】第１及び第２の筐体２，３の外周に袋状のノリ部２２を形成する。第１及び第２の筐体２，３の背面にカバー側係合孔２３に対応するように筐体側係合孔を形成する。第１及び第２固定部材５０，５１の周縁部にカバー側係合孔２３及び筐体側係合孔５３に係合する第１及び第２係合用突起５０ａ，５１ａを形成する。第１平面部２０ａのノリ部２２の内面側に第１固定部材５０を収納し、第２平面部２０ｂのノリ部２２の内面側に第２固定部材５１を収納する。第１平面部２０ａのノリ部２２を第１固定部材５０の周縁部と第１の筐体２の背面とで挟み、かつ第２平面部２０ｂのノリ部２２を、第２固定部材５１の周縁部と第２の筐体３の背面とで挟まれた状態で、カバー２０で第１及び第２の筐体３を覆う。【選択図】図３
2007208895.tif 000002
【特許請求の範囲】
【請求項１】
第１の筐体と、第２の筐体と、第１及び第２の筐体を折り畳み自在に連結するヒンジ部とを備え、第１の筐体及び第２の筐体の背面側がカバーで覆われた折畳み式携帯電子機器であって、
上記カバーは、上記第１の筐体を覆う第１平面部と、第２の筐体の背面を覆う第２平面部と、該第１平面部と第２平面部とを連結する結合部とを備え、
上記第１及び第２平面部には、その外周に袋状のノリ部が形成され、該ノリ部には、カバー側係合孔が設けられ、
上記第１の筐体及び第２の筐体の背面には、上記カバー側係合孔に対応するように筐体側係合孔が形成され、
上記第１平面部のノリ部の内面側には、第１固定部材の周縁部が収納され、上記第２平面部のノリ部の内面側には、第２固定部材の周縁部が収納されるように構成され、該第１及び第２固定部材の周縁部には、上記カバー側係合孔及び上記筐体側係合孔に係合する係合用突起が形成され、
上記第１平面部のノリ部は、上記第１固定部材の周縁部と第１の筐体の背面とで挟まれ、かつ上記第２平面部のノリ部は、上記第２固定部材の周縁部と第２の筐体の背面とで挟まれた状態で、上記カバーが第１及び第２の筐体を覆い、
上記カバーは、着脱自在に構成されている
ことを特徴とする折畳み式携帯電子機器。
【請求項２】
請求項１に記載の折畳み式携帯電子機器において、
上記係合用突起の先端には、内側に折り曲げられた鉤部が形成されている
ことを特徴とする折畳み式携帯電子機器。
【請求項３】
請求項２に記載の折畳み式携帯電子機器において、
上記筐体側係合孔は、上記係合用突起の鉤部が挿通可能な挿通部と、該挿通部に連続し、鉤部よりも狭い抜け止め部とを備えている
ことを特徴とする折畳み式携帯電子機器。
【請求項４】
請求項１乃至３のいずれか１つに記載の折畳み式携帯電子機器において、
上記第１固定部材と第２固定部材とは、同一形状に形成されている
ことを特徴とする折畳み式携帯電子機器。
【請求項５】
請求項４に記載の折畳み式携帯電子機器において、
上記第１及び第２の筐体の背面には、ボタン部が突出するように設けられ、該ボタン部は、その高さを変更可能に構成され、
上記第１及び第２固定部材の上記ボタン部に対応する位置には、該ボタン部が嵌合する、ずれ防止用孔が形成されている
ことを特徴とする折畳み式携帯電子機器。
【請求項６】
請求項１乃至５のいずれか１つに記載の折畳み式携帯電子機器において、
上記カバーは、上下対象に形成されている
ことを特徴とする折畳み式携帯電子機器。
【請求項７】
請求項１乃至６のいずれか１つに記載の折畳み式携帯電子機器において、
上記カバーは、本革で構成されている
ことを特徴とする折畳み式携帯電子機器。
【請求項８】
請求項１乃至６のいずれか１つに記載の折畳み式携帯電子機器において、
上記カバーは、合成皮革で構成されている
ことを特徴とする折畳み式携帯電子機器。
【請求項９】
請求項１乃至６のいずれか１つに記載の折畳み式携帯電子機器において、
上記カバーは、布で構成されている
ことを特徴とする折畳み式携帯電子機器。
【請求項１０】
請求項１乃至９のいずれか１つに記載の折畳み式携帯電子機器において、
上記第１及び第２固定部材は、樹脂成形品で構成されている
ことを特徴とする折畳み式携帯電子機器。
【請求項１１】
請求項１乃至１０のいずれか１つに記載の折畳み式携帯電子機器において、
折畳み式携帯電話機である
ことを特徴とする折畳み式携帯電子機器。
【発明の詳細な説明】
【技術分野】
【０００１】
本発明は、カバーを装着した折畳み式携帯電子機器に関する。
【背景技術】
【０００２】
携帯電話機は全国でますます普及し、メールや電話をする人が増えている。そして携帯するが故に持ち運び落としてしまうことも度々あり、携帯電話機の外観を傷付けてしまう。
【０００３】
そのため、落としても傷を付けにくくするために、カバーを設けるものが知られている。このようなカバーを設けても、すぐにカバーを脱着して使用可能にしたり、またカバーを付たままで使用可能にするよう工夫されている。
【０００４】
例えば、特許文献１には、携帯電話機を収納するカバーで、ベルト等に装着し、脱着を素早く行え、携帯電話機を収納したままで通話が行えるカバー装置が開示されている。
【０００５】
また、特許文献２には、カバーの上下の折り返しでベルト装着用のループを構成し、使用時には、カバーに折り返し部を密着して邪魔にならないようにすることが記載されている。
【０００６】
また、特許文献３には、機器本体を収めた筐体及びこの筐体を固着するシート部を有する本体部と、この本体部に被着するカバーとを有する小型電子機器において、前記本体部の前記シート部は、前記筐体よりも側方に突出するフランジ部を有し、前記カバーは、前記フランジ部に係止させて前記シート部に被着する袋状の周辺部を外縁部に有する小型電子機器が開示されている。
【特許文献１】特開平１１−２８５４０８号公報
【特許文献２】特開平１１−２９９５２２号公報
【特許文献３】特開２００５−１３６２６１号公報
【発明の開示】
【発明が解決しようとする課題】
【０００７】
ところで、近年、携帯電話機の外観を変えるアクセサリが用いられている。すなわち、気分によって日替わりで違うアクセサリを付けたり、季節によってアクセサリを変えたり、仕事やプライベートでアクセサリを変えたり、会う相手によってアクセサリを変えたりするというニーズがある。
【０００８】
しかしながら、従来の携帯電話機等の携帯電子機器では、携帯電話機の傷発生を防止したり、使用者の体が触れたときの不快感を防ぐことはできるものの、容易にＴＰＯに合わせて外観を変えることができなかった。つまり、上記特許文献３には、着脱自在なカバーが開示されているが、実際には、フランジ部と袋状の周辺部とを接着しないと、開閉時にカバーがフランジ部に対して動いてしまうので、容易にカバーが外れてしまう。これを防ぐためには、フランジ部とカバーとを接着せざるを得ず、結果としてカバーを着脱自在に構成できないという問題がある。
【０００９】
本発明は、かかる点に鑑みてなされたものであり、その目的とするところは、傷発生を防止するのみならず、使用時には外れにくく、交換時には容易に交換して着せ替えができる、見映えがよく、商品性の高い携帯電子機器を提供することにある。
【課題を解決するための手段】
【００１０】
上記目的を達成するために、第１の発明では、第１の筐体と、第２の筐体と、第１及び第２の筐体を折り畳み自在に連結するヒンジ部とを備え、第１の筐体及び第２の筐体の背面側がカバーで覆われた折畳み式携帯電子機器を対象とし、
上記カバーは、上記第１の筐体を覆う第１平面部と、第２の筐体の背面を覆う第２平面部と、該第１平面部と第２平面部とを連結する結合部とを備え、
上記第１及び第２平面部には、その外周に袋状のノリ部が形成され、該ノリ部には、カバー側係合孔が設けられ、
上記第１の筐体及び第２の筐体の背面には、上記カバー側係合孔に対応するように筐体側係合孔が形成され、
上記第１平面部のノリ部の内面側には、第１固定部材の周縁部が収納され、上記第２平面部のノリ部の内面側には、第２固定部材の周縁部が収納されるように構成され、該第１及び第２固定部材の周縁部には、上記カバー側係合孔及び上記筐体側係合孔に係合する係合用突起が形成され、
上記第１平面部のノリ部は、上記第１固定部材の周縁部と第１の筐体の背面とで挟まれ、かつ上記第２平面部のノリ部は、上記第２固定部材の周縁部と第２の筐体の背面とで挟まれた状態で、上記カバーが第１及び第２の筐体を覆い、
上記カバーは、着脱自在に構成されている。
【００１１】
上記の構成によると、第１及び第２固定部材は、その周縁部に設けた係合用突起をカバー側係合孔に挿通して係合させることにより、カバーに取り付けられる。この第１及び第２固定部材が取り付けられた状態のカバーから突出する係合用突起を第１の筐体及び第２の筐体の筐体側係合孔に係合することで、ノリ部が、第１及び第２固定部材の周縁部と、第１及び第２の筐体の背面とで挟まれた状態で、上記カバーが第１及び第２の筐体を覆う。係合用突起を筐体側係合孔から取り外すことで、カバーが外されるので、交換可能となる。
【００１２】
第２の発明では、上記係合用突起の先端には、内側に折り曲げられた鉤部が形成されている。
【００１３】
上記の構成により、係合用突起先端の鉤部が筐体側係合孔周縁に引っ掛かるので、カバーが外れにくくなる。
【００１４】
第３の発明では、上記筐体側係合孔は、上記係合用突起の鉤部が挿通可能な挿通部と、該挿通部に連続し、鉤部よりも狭い抜け止め部とを備えている。
【００１５】
上記の構成により、係合用突起の鉤部を筐体側係合孔の挿通部に挿通させた後、スライドさせて抜け止め部に係合させることで、カバーが第１及び第２の筐体から剥がれない。一方、鉤部を抜け止め部からスライドさせて挿通部から抜け出させることで、カバーが第１及び第２の筐体から取り外される。
【００１６】
第４の発明では、上記第１固定部材と第２固定部材とは、同一形状に形成されている。
【００１７】
上記の構成により、第１固定部材と第２固定部材とを付け間違えることがなく、同じ成形型で成形できるので、製造コストも安くなる。
【００１８】
第５の発明では、上記第１及び第２の筐体の背面には、ボタン部が突出するように設けられ、該ボタン部は、その高さを変更可能に構成され、
上記第１及び第２固定部材の上記ボタン部に対応する位置には、該ボタン部が嵌合する、ずれ防止用孔が形成されている。
【００１９】
上記の構成により、カバーが第１及び第２の筐体に取り付けられたときに、第１及び第２の筐体の背面に設けたボタン部が、第１及び第２固定部材のずれ防止用孔に嵌合するので、カバーのずれが防止される。一方、カバーを取り外す際には、カバーのボタン部を覆う部分を押圧して、ボタン部の高さを低くし、ずれ防止用孔とボタン部材との嵌合を解除して、カバーをスライドさせることにより、カバーの裏面から突出する係止用突起の鉤部を挿通部から抜け出させることで、カバーが取り外される。
【００２０】
第６の発明では、上記カバーは、上下対象に形成されている。
【００２１】
上記の構成により、カバーの成形が容易となると共に、上下逆に取り付けてもよいので、その第１及び第２の筐体に対する組付が容易となる。
【００２２】
第７の発明では、上記カバーは、本革で構成されている。
【００２３】
上記の構成により、本革によって動物が持つ自然の手触りや匂いを楽しむことができる。
【００２４】
第８の発明では、上記カバーは、合成皮革で構成されている。
【００２５】
上記の構成により、合成皮革は、材質や加工方法によって表面にいろいろな装飾を施すことができると共に、手入れが容易である。
【００２６】
第９の発明では、上記カバーは、布で構成されている。
【００２７】
上記の構成により、汚れれば取り外して洗うことも可能となる。
【００２８】
第１０の発明では、上記第１及び固定部材は、樹脂成形品とする。
【００２９】
上記の構成により、複雑な形状でも加工が容易で質量も軽い。
【００３０】
第１１の発明では、携帯電話機器を折畳み式携帯電話機とする。
【００３１】
上記の構成より、高級感、ファッショ性のある折畳み式携帯電話機が得られる。
【発明の効果】
【００３２】
以上説明したように、本発明によると、カバーの第１平面部のノリ部を第１固定部材の周縁部と第１の筐体の背面とで挟み、かつ第２平面部のノリ部を、第２固定部材の周縁部と第２の筐体の背面とで挟んだ状態で、カバーで第１及び第２の筐体を覆い、このカバーを着脱自在に構成している。このため、傷発生を防止するのみならず、使用時には外れにくく、交換時には容易に交換して着せ替えができる、見映えがよく、商品性の高い折畳み式携帯電子機器を提供することができる。
【発明を実施するための最良の形態】
【００３３】
以下、本発明の実施形態を図面に基づいて説明する。
【００３４】
図１は、本発明の実施形態に係る折畳み式携帯電子機器としての折畳み式携帯電話機１の閉じた状態を右方向から見た斜視図である。図２は、折畳み式携帯電話機１の開いた状態を右方向から見た斜視図である。図５は、カバー２０を背面側から見た斜視図を示す。
【００３５】
図１及び図２に示すように、本実施形態の携帯電話機１は、第１の筐体２と、第２の筐体３とを有し、これらがヒンジ部４によって回転可能に結合されている。電話機本体１０は、これら第１及び第２の筐体２，３で構成されている。
【００３６】
上記第１の筐体２には、表示部５、受話部８等が設けられている。上記第２の筐体３には、機能ボタン部６、情報入力ボタン部７、送話部９等が設置されている。
【００３７】
上記第１及び第２の筐体２，３の背面は、カバー２０に着脱自在に覆われている。図５にも示すように、カバー２０は、第１の筐体２を覆う第１平面部２０ａと第２の筐体３の背面を覆う第２平面部２０ｂと、これら第１平面部２０ａと第２平面部２０ｂとを連結する結合部２０ｃとを備えている。カバー２０は、結合部２０ｃを中心として上下対象形に成形されている。結合部２０ｃとヒンジ部４との間には、隙間２９が形成されて互いに結合されていない。結合部２０ｃには、折畳み式携帯電話機１の開閉を考慮して弛みが設けられている。但し、開いた状態では弛みが発生するように構成されているが、閉じた状態では結合部２０ｃの弛みがなくなるようにすると、見映えがよい。なお、カバー２０は、弛みをなくすために、第１の筐体２と第２の筐体３の結合部２０ｃ付近で分割し、分割したそれぞれを第１及び第２の筐体２，３に締結し、ヒンジ部４は覆わないようにしてもよい。
【００３８】
図３は、第１及び第２の筐体２，３と、第１固定部材５０と、第２固定部材５１と、カバー２０との分解図を示す。図４は、第１及び第２の筐体２，３を背面側から見た斜視図を示す。図６は、図１のVI−VI線断面図である。
【００３９】
図３に示すように、上記カバー２０は、本革を第１及び第２の筐体２，３の３倍程度の大きさにカットし、第１及び第２平面部２０ａ，２０ｂの外周を内側に折り畳んで、ノリ部２２を残してミシンで縫われている。ノリ部２２は、例えば、左右３対のカバー側係合孔２３を有している。上下のノリ部２２は、左右の側面ノリ部２２ａと、上下の上側ノリ部２２ｂ及び下側ノリ部２２ｃとにそれぞれ分割されている。左右の側面ノリ部２２ａは、ミシン目２４の部分から起立可能に形成され、両者の合わせ面は中央にくるように構成されている。上側ノリ部２２ｂ及び下側ノリ部２２ｃは起立はできないように袋状に形成されている。左右の側面ノリ部２２ａの上下方向内側（ヒンジ部４側）には、左右を連結するバンド部２５が設けられている。
【００４０】
上記第１平面部２０ａのノリ部２２の内面側には、第１固定部材５０が収納され、上記第２平面部２０ｂのノリ部２２の内面側には、第２固定部材５１が収納されるように構成されている。
【００４１】
カバー２０は、上下対象に形成されている。このことで、カバー２０の成形が容易となると共に、上下逆に取り付けてもよいので、その第１及び第２の筐体２，３に対する組付が容易となる。カバー２０を本革で成形することにより、本革によって動物が持つ自然の手触りや匂いを楽しむことができる。
【００４２】
図４に示すように、上記第１の筐体２及び第２の筐体３の背面には、上記カバー側係合孔２３に対応するように筐体側係合孔５３が形成されている。
【００４３】
図３に示すように、第１及び第２固定部材５０，５１は、樹脂成形品で構成されている。樹脂成形品であれば、複雑な形状でも加工が容易で質量も軽い。第１及び第２固定部材５０，５１の周縁部には、上記カバー側係合孔２３及び上記筐体側係合孔５３に係合する、例えば３対の第１及び第２係合用突起５０ａ，５１ａがそれぞれ形成されている。この第１及び第２係合用突起５０ａ，５１ａの先端には、内側に折り曲げられた鉤部１９（図６に示す）が形成されている。第１固定部材５０と第２固定部材５１とは、同一形状に形成されている。このことで、第１固定部材５０と第２固定部材５１とを付け間違えることがなく、同じ成形型で成形できるので、製造コストも安くなる。
【００４４】
図４に示すように、上記筐体側係合孔５３は、上記第１及び第２係合用突起５０ａ，５１ａの鉤部１９が挿通可能な挿通部５３ａと、該挿通部５３ａに連続してヒンジ部４側へ延び、鉤部１９よりも狭い抜け止め部５３ｂとを備えている。
【００４５】
上記第１及び第２の筐体２，３の背面には、ボタン部５４が突出するように設けられている。このボタン部５４は、内部に図示しない弾性部材が設けられ、その高さを変更可能に構成されている。図３に示すように、上記第１及び第２固定部材５０，５１の上記ボタン部５４に対応する位置には、該ボタン部５４が嵌合する、ずれ防止用孔５２が形成されている。カバー２０の側面ノリ部２２ａのボタン部５４が嵌合する部分は切り欠かれてボタン部挿通用孔２６が形成されている。
【００４６】
図６に示すように、上記第１平面部２０ａのノリ部２２は、上記第１固定部材５０の周縁部と第１の筐体２の背面とで挟まれている。上記第２平面部２０ｂのノリ部２２は、上記第２固定部材５１の周縁部と第２の筐体３の背面とで挟まれた状態で、上記カバー２０が第１及び第２の筐体２，３を覆うようになっている。
【００４７】
−組付手順−
次に、図面を用いて折畳み式携帯電話機１の組付手順について説明する。
【００４８】
まず、図３に示すように、組み付けられた第１及び第２の筐体２，３と、カバー２０と、第１及び第２固定部材５０，５１とを用意する。
【００４９】
次いで、第１平面部２０ａの側面ノリ部２２ａを起立させた状態で、第１固定部材５０を上側のバンド部２５の表面側からＰ方向に挿入し、第１固定部材５０の上側周縁を上側ノリ部２２ｂに下側から嵌め込む。
【００５０】
次いで、バンド部２５で第１固定部材５０の下側周縁部を押さえ込む。カバー２０は、上下対象形なので、いずれを上側にしてもよく、組付が容易である。
【００５１】
次いで、左右の側面ノリ部２２ａを内側に倒しながら、左右３対のカバー側係合孔２３を第１係合用突起５０ａに挿入する。このことで、カバー２０と第１固定部材５０とが組み付けられる。
【００５２】
次いで、同様に第２平面部２０ｂの側面ノリ部２２ａを起立させた状態で、第２固定部材５１を下側のバンド部２５の表面側からＱ方向に挿入し、第２固定部材５１の下側周縁を下側ノリ部２２ｃに上側から嵌め込む。
【００５３】
次いで、バンド部２５で第２固定部材５１の上側周縁部を押さえ込む。
【００５４】
次いで、左右の側面ノリ部２２ａを内側に倒しながら、左右３対のカバー側係合孔２３を第２係合用突起５１ａに挿入する。このことで、カバー２０と第２固定部材５１とが組み付けられる。
【００５５】
次いで、カバー２０の裏面側から突出した第１係合用突起５０ａを第１の筐体２の筐体側係合孔５３に挿入する。
【００５６】
まず、第１係合用突起５０ａの鉤部１９を第１の筐体２の筐体側係合孔５３の挿通部５３ａに挿通させる。
【００５７】
次いで、ヒンジ部４側にスライドさせて鉤部１９を抜け止め部５３ｂに係合させることで、カバー２０が第１の筐体２に取り付けられる。鉤部１９が筐体側係合孔５３周縁に引っ掛かるので、カバー２０が外れにくくなる。このとき、第１の筐体２の背面に設けたボタン部５４が、第１固定部材５０のずれ防止用孔５２に嵌合するので、カバー２０のずれが防止される。
【００５８】
次いで、カバー２０の結合部２０ｃを撓ませながら、カバー２０の裏面側から突出した第２係合用突起５１ａを第２の筐体３の筐体側係合孔５３に挿入する。
【００５９】
まず、第２係合用突起５１ａの鉤部１９を第２の筐体３の筐体側係合孔５３の挿通部５３ａに挿通させる。
【００６０】
次いで、ヒンジ部４側にスライドさせて抜け止め部５３ｂに係合させることで、カバー２０が第２の筐体３にも取り付けられる。このとき、第２の筐体３の背面に設けたボタン部５４が、第２固定部材５１のずれ防止用孔５２に嵌合するので、カバー２０のずれが防止される。
【００６１】
一方、カバー２０を取り外す際には、第１の筐体２のカバー２０のボタン部５４を覆う部分を押圧して、ボタン部５４の高さを低くし、ずれ防止用孔５２とボタン部５４との嵌合を解除して、カバー２０をヒンジ部４と反対側にスライドさせることにより、鉤部１９を挿通部５３ａから抜け出させる。このことで、第１の筐体２からカバー２０が取り外される。
【００６２】
次いで、同様に第２の筐体３のカバー２０のボタン部５４を覆う部分を押圧して、ボタン部５４の高さを低くし、ずれ防止用孔５２とボタン部５４との嵌合を解除して、カバー２０をヒンジ部４と反対側にスライドさせることにより、鉤部１９を挿通部５３ａから抜け出させる。このことで、第２の筐体３からカバー２０が取り外される。
【００６３】
次いで、上記と逆の動作を行ってカバー２０から第１及び第２固定部材５０，５１を取り外した後、再び上記と同様にして別のカバー２０を組み付ければよい。
【００６４】
−実施形態の効果−
したがって、本実施形態にかかる折畳み式携帯電話機１によると、第１平面部２０ａのノリ部２２を第１固定部材５０の周縁部と第１の筐体２の背面とで挟み、かつ第２平面部２０ｂのノリ部２２を、第２固定部材５１の周縁部と第２の筐体３の背面とで挟んだ状態で、カバー２０で第１及び第２の筐体２，３を覆い、このカバー２０を着脱自在に構成している。このため、傷発生を防止するのみならず、使用時には外れにくく、交換時には容易に交換して着せ替えができる、見映えがよく、商品性の高い折畳み式携帯電話機１を提供することができる。
【００６５】
（その他の実施形態）
本発明は、上記実施形態について、以下のような構成としてもよい。
【００６６】
すなわち、上記実施形態では、上記カバー２０は、本革を第１及び第２の筐体２，３の３倍程度の大きさにカットされ、第１及び第２平面部２０ａ，２０ｂの外周を内側に折り畳んで、ノリ部２２を残してミシンで縫っているが、本革を第１及び第２の筐体２，３を合わせたよりも若干大きくカットしたカバー本体と、第１及び第２の筐体２，３と同程度にカットした２枚の貼付部とを用意し、２枚の貼付部のそれぞれにＨ状の切れ目を入れ、カバー本体の第１及び第２の筐体２，３に相当する部分で貼り合わせた上に、カバー本体の外周を折り畳んで挟み込み、その部分をミシンで縫うようにしてもよい。
【００６７】
上記実施形態では、カバー２０は、本革で構成されているが、合成皮革や布で構成してもよく、これらの複合材料であってもよい。合成皮革は、材質や加工方法によって表面にいろいろな装飾を施すことができると共に、手入れが容易である。布で構成すれば、汚れれば取り外して洗うことも可能となる。
【００６８】
上記実施形態では、第１及び第２固定部材５０，５１の周縁部に３対の第１及び第２係合用突起５０ａ，５１ａをそれぞれ設けているが、この個数には限定されず、２対又は４対以上設けてもよい。
【００６９】
上記実施形態では、折畳み式携帯電子機器を折畳み式携帯電話機としたが、ＰＨＳ、ＰＤＡ、ＰＣ、電子辞書、電卓等の折畳み式の携帯電子機器でもよい。要は、第１の筐体２と、第２の筐体３と、第１及び第２の筐体２，３を折り畳み自在に連結するヒンジ部とを備え、第１の筐体２及び第２の筐体３の背面側がカバー２０で覆われた折畳み式携帯電子機器であればよい。
【００７０】
なお、以上の実施形態は、本質的に好ましい例示であって、本発明、その適用物や用途の範囲を制限することを意図するものではない。
【産業上の利用可能性】
【００７１】
以上説明したように、本発明は、皮革製などのカバーで覆われた折畳み式携帯電話機などの折畳み式携帯電子機器について有用である。
【図面の簡単な説明】
【００７２】
【図１】本発明の実施形態に係る折畳み式携帯電話機の閉じた状態を右方向から見た斜視図である。
【図２】折畳み式携帯電話機の開いた状態を右方向から見た斜視図である。
【図３】第１及び第２の筐体と、第１固定部材と第２固定部材とカバーとの分解図である。
【図４】第１及び第２の筐体を背面側から見た斜視図である。
【図５】カバーを背面側から見た斜視図である。
【図６】図１のVI−VI線断面図である。
【符号の説明】
【００７３】
１      折畳み式携帯電話機（折畳み式携帯電子機器）
２      第１の筐体
３      第２の筐体
４      ヒンジ部
１９      鉤部
２０      カバー
２０ａ    第１平面部
２０ｂ    第２平面部
２０ｃ    結合部
２２      ノリ部
２３      カバー側係合孔
５０      第１固定部材
５０ａ    第１係合用突起
５１      第２固定部材
５１ａ    第２係合用突起
５２      ずれ防止用孔
５３      筐体側係合孔
５３ａ    挿通部
５３ｂ    抜け止め部
５４      ボタン部
【図１】
2007208895.tif 000003
【図２】
2007208895.tif 000004
【図３】
2007208895.tif 000005
【図４】
2007208895.tif 000006
【図５】
2007208895.tif 000007
【図６】
2007208895.tif 000008